(57)【要約】【課題】タッチパネルへの押圧力に依存して発生する押下箇所の誤認識を防止することのできる操作表示装置を提供する。【解決手段】表示手段と、前記表示手段上に設けられたタッチパネルと、前記タッチパネルにおける押下箇所の座標を検出する座標検出手段と、前記押下箇所における押圧力を検出する押圧力検出手段と、前記表示手段に表示される操作アイコンに対応する感応領域を設定し、前記検出された押下箇所の座標が含まれる感応領域に対応する操作アイコンが押下されたと判定する制御手段とを具備し、前記制御手段は、前記押下箇所の座標を当該押下箇所の押圧力に応じて補正する。【選択図】図１
2008276276.tif 000002
【特許請求の範囲】
【請求項１】
表示手段と、
前記表示手段上に設けられたタッチパネルと、
前記タッチパネルにおける押下箇所の座標を検出する座標検出手段と、
前記押下箇所における押圧力を検出する押圧力検出手段と、  
前記表示手段に表示される操作アイコンに対応する感応領域を設定し、前記検出された押下箇所の座標が含まれる感応領域に対応する操作アイコンが押下されたと判定する制御手段とを具備し、
前記制御手段は、前記押下箇所の座標を当該押下箇所の押圧力に応じて補正する、
ことを特徴とする操作表示装置。
【請求項２】
前記押圧力と前記座標の補正値との対応関係を示す補正テーブルを記憶する補正値記憶手段をさらに具備し、
前記制御手段は、前記補正テーブルを基に、前記押下箇所の押圧力に応じた前記補正値を取得し、当該取得した補正値によって前記押下箇所の座標を補正する、
ことを特徴とする請求項１記載の操作表示装置。
【請求項３】
前記制御手段は、前記押圧力と前記座標の補正値との対応関係を示す演算式を用いて前記押下箇所の押圧力に応じた前記補正値を算出し、当該算出した補正値によって前記押下箇所の座標を補正する、
ことを特徴とする請求項１記載の操作表示装置。
【請求項４】
前記タッチパネルは、各々の対向面に透明電極層が形成された上部透明フィルムと下部透明基板とを備え、
前記押圧力検出手段は、前記下部透明基板の押下領域に超音波を表面弾性波として発信する発信手段と、前記表面弾性波を受信し、当該受信した表面弾性波の強度を示す受信信号を出力する受信手段と、前記受信信号に基づいて前記押下箇所の押圧力を判定し、当該判定結果を押圧力検出信号として前記制御手段に出力する押圧力判定手段とを備える、
ことを特徴とする請求項１〜３のいずれか一項に記載の操作表示装置。
【請求項５】
請求項１〜４のいずれか一項に記載の操作表示装置を具備することを特徴とする画像形成装置。
【発明の詳細な説明】
【技術分野】
【０００１】
本発明は、表示手段上にタッチパネルを設けた構成からなる操作表示装置、及び当該操作表示装置を備えた画像形成装置に関する。
【背景技術】
【０００２】
近年、複写機やファクシミリ装置等の画像形成装置では、液晶パネル等の表示手段上にタッチパネルが設けられた構成からなる操作表示装置を具備するものが主流となっている（例えば下記特許文献１参照）。
【０００３】
一般的に、タッチパネルにおける押下箇所の座標検出方式としてアナログ抵抗膜方式がよく用いられている。このアナログ抵抗膜方式を採用したタッチパネルは、上部フィルムと下部ガラス基板とがスペーサを介して重ね合わされており、上部フィルムと下部ガラス基板との各々の対向面にＩＴＯ等の透明電極層が形成され、上部フィルムの左右両端（両方の短辺側）と、下部ガラス基板の上下両端（両方の長辺側）とに電極が形成された構成となっている。
【０００４】
このような構成のタッチパネルにおいて、上部フィルムがユーザにより押下されると、押下箇所において上部フィルム側の透明電極層と下部ガラス基板側の透明電極層とが接触することになる。上部フィルムの左右方向（長辺方向）をＸ軸とした場合、上部フィルムの左右両端に形成された電極間に所定の電圧を印加し、下部ガラス基板に形成された電極（上下両端の一方の電極で良い）の電位を計測することにより、押下箇所のＸ座標を検出することができる。また、下部ガラス基板の上下方向（短辺方向）をＹ軸とした場合、下部ガラス基板の上下両端に形成された電極間に所定の電圧を印加し、上部フィルムに形成された電極（左右両端の一方の電極で良い）の電位を計測することにより、押下箇所のＹ座標を検出することができる。  
【特許文献１】特開２００２−３６１９６８号公報
【発明の開示】
【発明が解決しようとする課題】
【０００５】
ところで、従来では、押下箇所のＸＹ座標を確定する場合、押下を検知してから所定のサンプリング時間の間に、Ｘ座標を示す電位及びＹ座標を示す電位をそれぞれ複数回（例えば３回）ずつサンプリングし、それらの平均値からＸＹ座標を確定していた。しかしながら、このようなＸＹ座標の確定方法を用いると、タッチパネルへの押圧力に依存して確定されるＸＹ座標にバラツキが生じるという現象が確認されている。
【０００６】
具体的には、タッチパネルへの押圧力が高い場合、押下箇所における上部フィルム側と下部ガラス基板側の透明電極層の接触抵抗が低くなるため、Ｘ座標を示す電位及びＹ座標を示す電位はそれぞれ急峻な立ち上がりを示す。つまり、この場合、複数回のサンプリングによって取得した電位はそれぞれ近い値（最大値）となり、それらの平均値もサンプリングした各電位（最大値）と大きく異なることはない。一方、タッチパネルへの押圧力が低い場合、押下箇所における上部フィルム側と下部ガラス基板側の透明電極層の接触抵抗が高くなるため、Ｘ座標を示す電位及びＹ座標を示す電位はそれぞれなだらかな立ち上がりを示す。つまり、この場合、複数回のサンプリングによって取得した電位の中には、最大値だけでなく、最大値と最小値との中間値が含まれることになり、それらの平均値は最大値から大きく異なることになる。
【０００７】
このように、同じ箇所を押下した場合であっても、押圧力に依存して確定されるＸＹ座標にバラツキが生じてしまい、その結果、ユーザの意図とは異なる箇所が押下されたと装置側が誤認識してしまうという問題があった。
【０００８】
本発明は、上述した事情に鑑みてなされたものであり、タッチパネルへの押圧力に依存して発生する押下箇所の誤認識を防止することのできる操作表示装置、及び当該操作表示装置を具備する画像形成装置を提供することを目的とする。
【課題を解決するための手段】
【０００９】
上記目的を達成するために、本発明は、操作表示装置に係る第１の解決手段として、表示手段と、前記表示手段上に設けられたタッチパネルと、前記タッチパネルにおける押下箇所の座標を検出する座標検出手段と、前記押下箇所における押圧力を検出する押圧力検出手段と、前記表示手段に表示される操作アイコンに対応する感応領域を設定し、前記検出された押下箇所の座標が含まれる感応領域に対応する操作アイコンが押下されたと判定する制御手段とを具備し、前記制御手段は、前記押下箇所の座標を当該押下箇所の押圧力に応じて補正することを特徴とする。
【００１０】
また、操作表示装置に係る第２の解決手段として、上記第１の解決手段において、前記押圧力と前記座標の補正値との対応関係を示す補正テーブルを記憶する補正値記憶手段をさらに具備し、前記制御手段は、前記補正テーブルを基に、前記押下箇所の押圧力に応じた前記補正値を取得し、当該取得した補正値によって前記押下箇所の座標を補正することを特徴とする。
【００１１】
また、操作表示装置に係る第３の解決手段として、上記第１の解決手段において、前記制御手段は、前記押圧力と前記座標の補正値との対応関係を示す演算式を用いて前記押下箇所の押圧力に応じた前記補正値を算出し、当該算出した補正値によって前記押下箇所の座標を補正することを特徴とする。
【００１２】
また、操作表示装置に係る第４の解決手段として、上記第１〜第３のいずれかの解決手段において、前記タッチパネルは、各々の対向面に透明電極層が形成された上部透明フィルムと下部透明基板とを備え、前記押圧力検出手段は、前記下部透明基板の押下領域に超音波を表面弾性波として発信する発信手段と、前記表面弾性波を受信し、当該受信した表面弾性波の強度を示す受信信号を出力する受信手段と、前記受信信号に基づいて前記押下箇所の押圧力を判定し、当該判定結果を押圧力検出信号として前記制御手段に出力する押圧力判定手段とを備えることを特徴とする。
【００１３】
一方、本発明は、画像形成装置に係る解決手段として、上記第１〜第４のいずれかの解決手段を有する操作表示装置を具備することを特徴とする。
【発明の効果】
【００１４】
本発明に係る操作表示装置によれば、タッチパネル上の押下箇所における押圧力を検出する押圧力検出手段を設け、前記押下箇所の座標を当該押下箇所の押圧力に応じて補正するので、タッチパネルへの押圧力に依存して発生する押下箇所の誤認識を防止することが可能である。
【００１５】
また、上記のような操作表示装置において、前記押圧力と前記座標の補正値との対応関係を示す補正テーブルを記憶する補正値記憶手段を設け、前記補正テーブルを基に、前記押下箇所の押圧力に応じた前記補正値を取得し、当該取得した補正値によって前記押下箇所の座標を補正する構成を採用することにより、簡単に押圧力に応じた補正値を取得することができるので、制御手段における座標の補正に関する処理時間を短縮することができる。
【００１６】
また、上記のような操作表示装置において、前記押圧力と前記座標の補正値との対応関係を示す演算式を用いて前記押下箇所の押圧力に応じた前記補正値を算出し、当該算出した補正値によって前記押下箇所の座標を補正することにより、制御手段における座標の補正に関する処理時間は伸びるが、上記のような補正テーブルを記憶するための補正値記憶手段を設ける必要がないので、装置コストの削減になるというメリットがある。
【００１７】
また、上記のような操作表示装置において、前記押圧力検出手段を、タッチパネルの下部透明基板の押下領域に超音波を表面弾性波として発信する発信手段と、前記表面弾性波を受信し、当該受信した表面弾性波の強度を示す受信信号を出力する受信手段と、前記受信信号に基づいて前記押下箇所の押圧力を判定し、当該判定結果を押圧力検出信号として前記制御手段に出力する押圧力判定手段とから構成することにより、精度良く押下箇所の押圧力を検出することができる。
【００１８】
一方、本発明に係る画像形成装置によれば、上記のような特徴を有する操作表示装置を具備することにより、タッチパネルへの押圧力に依存して発生する押下箇所の誤認識を防止することができるので、ユーザの意図した通りの処理を実行することが可能である。
【発明を実施するための最良の形態】
【００１９】
以下、図面を参照して、本発明の一実施形態について説明する。
図１は、本実施形態に係る画像形成装置１００の機能ブロック図である。画像形成装置１００は、例えば複写機及び印刷機の機能を有する複合機であり、ＣＰＵ(Central Processing Unit)１０、ＲＯＭ(Read Only Memory)１１、ＲＡＭ(Random Access Memory)１２、各種センサ群１３、用紙搬送部１４、画像読取部１５、画像データ記憶部１６、画像形成部１７、通信Ｉ／Ｆ部１８及び操作表示装置１９を備えている。なお、符号２００は、外部から画像形成装置１００へ印刷指示するためのＰＣ(Personal Computer)である。
【００２０】
ＣＰＵ１０は、ＲＯＭ１１に記憶されている制御プログラムや、各種センサ群１３から入力される検出信号、画像データ記憶部１６に記憶されている、画像読取部１５によって読み取った原稿の画像データ、通信Ｉ／Ｆ部１８を介してＰＣ２００から受信した印刷指示信号及び印刷用画像データ、操作表示装置１９から入力される操作信号に基づいて画像形成装置１００の全体動作を制御する。
【００２１】
ＲＯＭ１１は、ＣＰＵ１０で使用される制御プログラムやその他のデータを記憶する不揮発性メモリである。ＲＡＭ１２は、ＣＰＵ１０が制御プログラムを実行して各種動作を行う際に、データの一時保存先に用いられるワーキングメモリである。各種センサ群１３は、例えば用紙切れ検出センサや、用紙位置検出センサ、温度センサ等の画像形成動作に必要な各種センサであり、それぞれで検出した各種の情報を検出信号としてＣＰＵ１０に出力する。用紙搬送部１４は、図示しない用紙トレイに収納されている用紙を画像形成部１７に搬送するための搬送ローラ及び搬送ローラ駆動用のモータや、画像形成処理後の用紙を図示しない排紙トレイに搬送するための搬送ローラ及び搬送ローラ駆動用のモータなどから構成されている。
【００２２】
画像読取部１５は、図示しない原稿台にセットされた原稿に対して走査状に照明光を照射し、その反射光をＣＣＤ(Charge Coupled Device)センサによって受光してアナログ電圧信号に変換した後、当該アナログ電圧信号をデジタル変換することにより、読み取った原稿の画像データを生成するものである。なお、画像読取部１５は、生成した画像データをＣＰＵ１０に出力し、一方、ＣＰＵ１０は、原稿の画像データを１頁ずつ別個のフォルダに格納して画像データ記憶部１６に記憶させる。画像データ記憶部１６は、例えばフラッシュメモリであり、ＣＰＵ１０の要求に応じて原稿の画像データを１頁ずつ別個のフォルダに格納して記憶する一方、所定の原稿の画像データをＣＰＵ１０に出力する。
【００２３】
画像形成部１７は、ＣＰＵ１０の制御の下、画像データ記憶部１６に記憶されている画像データやＰＣ２００から受信した印刷用画像データに基づいて、用紙搬送部１４から搬送される用紙にトナー像を転写し、当該トナー像の定着処理（画像形成）を行う。通信Ｉ／Ｆ部１８は、画像形成装置１００（詳しくはＣＰＵ１０）と外部のＰＣ２００との間で通信を行うためのインタフェースであり、ＬＡＮ(Local Area Network)等のネットワークによってＰＣ２００と接続されている。
【００２４】
次に、操作表示装置１９について詳細に説明する。図２は、操作表示装置１９の機能ブロック図であり、図３は操作表示装置１９の外観概略図である。図２に示すように、操作表示装置１９は、操作表示用ＣＰＵ（制御手段）２０、ＲＯＭ２１、ＲＡＭ２２、操作キー群２３、タッチパネル２４、座標検出部（座標検出手段）２５、表示用ドライバ２６、表示部（表示手段）２７、押圧力検出部（押圧力検出手段）２８及び補正値記憶部（補正値記憶手段）２９から構成されている。
【００２５】
操作表示用ＣＰＵ２０は、ＲＯＭ２１に記憶されている操作表示装置１９専用の制御プログラムや、操作キー群２３から入力される操作検知信号、座標検出部２５から入力される、タッチパネル２４上の押下箇所の座標を示す座標検出信号、押圧力検出部２８から入力される、タッチパネル２４上の押下箇所の押圧力を示す押圧力検出信号、上述したＣＰＵ１０から入力される表示制御信号に基づいて操作表示装置１９の全体動作を制御する。具体的には、この操作表示用ＣＰＵ２０は、表示部２７に表示される操作アイコンに対応する感応領域を設定し、座標検出部２５によって検出されたタッチパネル２４上の押下箇所の座標が含まれる感応領域に対応する操作アイコンが押下されたと判定し、当該判定結果や操作キー群２３から入力される操作検知信号を操作信号としてＣＰＵ１０に出力する。また、この操作表示用ＣＰＵ２０は、ＣＰＵ１０から入力される表示制御信号を基に、表示用ドライバ２６への入力信号（同期信号や画像データ）を生成して表示用ドライバ２６に出力する。
【００２６】
さらに、詳細は後述するが、この操作表示用ＣＰＵ２０は、補正値記憶部２９に記憶されている、押圧力と座標の補正値との対応関係を示す補正テーブルを基に、押圧力検出部２８によって検出された押下箇所の押圧力に応じた補正値を取得し、当該取得した補正値によって座標検出部２５によって検出された押下箇所の座標を補正する。
【００２７】
ＲＯＭ２１は、操作表示用ＣＰＵ２０で使用される操作表示装置１９専用の制御プログラムやその他のデータを記憶する不揮発性メモリである。ＲＡＭ２２は、操作表示用ＣＰＵ２０が操作表示装置１９専用の制御プログラムを実行して各種動作を行う際に、データの一時保存先に用いられるワーキングメモリである。操作キー群２３は、図３に示すように、コピースタートキー２３a、コピーストップキー２３b、電源キー２３c、テンキー２３dやその他の各種操作キーから構成されており、各々の操作入力に応じた信号（操作検知信号）を操作表示用ＣＰＵ２０に出力する。
【００２８】
タッチパネル２４は、押下箇所の座標の検出方式としてアナログ抵抗膜方式を採用したタッチパネルであり、押下箇所のＸ座標、Ｙ座標を示すアナログ電圧信号を座標検出部２５に出力する。図４は、タッチパネル２４の断面構成図である。この図４に示すように、タッチパネル２４は、下部ガラス基板（下部透明基板）２４aと、透光性を有する上部フィルム（上部透明フィルム）２４bとがスペーサ２４cを介して重ね合わされた構成となっており、下部ガラス基板２４aと上部フィルム２４bとの各々の対向面には、ＩＴＯ等からなる透明電極層２４d、２４eが形成されている。
【００２９】
このような構成のタッチパネル２４において、上部フィルム２４bがユーザにより押下されると、押下箇所において上部フィルム２４b側の透明電極層２４eと下部ガラス基板２４a側の透明電極層２４dとが接触することになる。図４に示すように、上部フィルム２４bの左右方向（長辺方向）をＸ軸とし、下部ガラス基板２４aの上下方向（短辺方向）をＹ軸とした場合、上部フィルム２４bの左右両端に形成された電極間（図示省略）に所定の電圧を印加して、下部ガラス基板２４aに形成された電極（上下両端の一方の電極：図示省略）にて生じる電位が押下箇所のＸ座標を示すアナログ電圧信号となる。また、下部ガラス基板２４aの上下両端に形成された電極間（図示省略）に所定の電圧を印加して、上部フィルム２４bに形成された電極（左右両端の一方の電極で良い）にて生じる電位が押下箇所のＹ座標を示すアナログ電圧信号となる。なお、図４では、上部フィルム２４bの左右両端に形成された電極間または下部ガラス基板２４aの上下両端に形成された電極間に印加する電圧を発生する電圧発生部の図示を省略している。
【００３０】
座標検出部２５は、タッチパネル２４から入力されるＸ座標、Ｙ座標を示すアナログ電圧信号をデジタル変換して、Ｘ座標を示す電圧値ＶxとＹ座標を示す電圧値Ｖyとを取得し、予めＲＯＭ２１に記憶されている、Ｘ座標と電圧値Ｖxとの対応関係及びＹ座標と電圧値Ｖyとの対応関係を基に押下箇所のＸ座標及びＹ座標を検出し、これらＸＹ座標を示す座標検出信号を操作表示用ＣＰＵ２０に出力する。
【００３１】
表示用ドライバ２６は、操作表示用ＣＰＵ２０からの入力信号（同期信号や画像データ）に応じた表示部２７用の駆動信号を生成して表示部２７に出力する。表示部２７は、例えば液晶パネルであり、表示用ドライバ２６から入力される駆動信号（走査信号やデータ信号）に応じた画像を表示する。なお、図２では、説明の便宜上、タッチパネル２４と表示部２７とが離れて設置されているように記載されているが、実際には、図３に示すように、表示部２７上にタッチパネル２４が重なるように配置され両者は一体構成となっている。
【００３２】
押圧力検知部２８は、図５に示すように、下部ガラス基板２４aの押下領域（有効表示エリア）２４fの外周領域において右下隅に配置され、Ｘ軸方向に向けて超音波を表面弾性波として発信する発信子（発信手段）２８aと、押下領域２４fの下辺に沿って配置され、上記表面弾性波をＹ軸方向に向けて一定間隔で順次反射する反射アレイ２８bと、押下領域２４fの上辺に沿って配置され、反射アレイ２８bで反射された表面弾性波を、外周領域の右上隅に配置された受信子２８dに向けて反射する反射アレイ２８cと、反射アレイ２８cで反射された表面弾性波を受信し、当該受信した表面弾性波の強度を示す受信信号を押圧力判定部２８eに出力する受信子（受信手段）２８dと、上記受信信号に基づいて押下箇所の押圧力を判定し、当該判定結果を押圧力検出信号として操作表示用ＣＰＵ２０に出力する押圧力判定部（押圧力判定手段）２８eとから構成されている。
【００３３】
図５に示すように、最短距離を通る表面弾性波Ｗ１と最長距離を通る表面弾性波Ｗ２とでは、受信子２８dに到達する時間が異なる。また、図５に示すように押下箇所をＰとすると、その押下箇所Ｐを通る表面弾性波Ｗ３はユーザの指によって吸収され、その強度が低下する。図６は、このような状況の場合において、受信子２８dから出力される受信信号の波形を示すものである。この図６に示すように、強度が低下している部分が押下箇所Ｐを通る表面弾性波Ｗ３に該当する部分である。ここで、強度の低下量は押下箇所Ｐの押圧力によって定まる値であるので、この強度の低下量から押下箇所Ｐの押圧力を判定することができる。つまり、押圧力判定部２８eは、受信子２８dから入力される受信信号の波形から強度の低下量を分析し、当該分析結果から押下箇所Ｐの押圧力を判定する。
【００３４】
補正値記憶部２９は、例えばフラッシュメモリであり、上述した押圧力と座標の補正値との対応関係を示す補正テーブルを予め記憶している。図７は、補正値記憶部２９に記憶されている補正テーブルの一例である。図７に示すように、補正テーブルには、押圧力「１」〜「１０」に対応するＸ座標の補正値とＹ座標の補正値とが設定されている。なお、押圧力「１０」が最も高い圧力（押下箇所における接触抵抗が最も小さい）を示しており、この場合、Ｘ座標を示す電位及びＹ座標を示す電位はそれぞれ最も急峻な立ち上がりとなるので補正を必要とせず、Ｘ座標及びＹ座標の補正値は共に「０」に設定される。そして、押圧力が低くなるほど（押下箇所における接触抵抗が大きくなるほど）、Ｘ座標及びＹ座標の補正値を大きく設定する。
【００３５】
本実施形態では、補正値を正（Ｘ座標またはＹ座標に加算する）に設定した場合を例示したが、これは図８に示すように、押下箇所ＰのＸＹ座標に対して、Ｘ軸方向及びＹ軸方向の負の方向にずれた位置Ｐ１のＸＹ座標を押下箇所Ｐの座標として誤認識してしまう場合を想定したものである。従って、例えば押下箇所ＰのＸＹ座標に対して、Ｘ軸方向及びＹ軸方向の正の方向にずれた位置のＸＹ座標を押下箇所Ｐの座標として誤認識する場合は、補正値を負（Ｘ座標またはＹ座標から減算する）に設定すれば良い。
【００３６】
次に、上記のように構成された本実施形態に係る画像形成装置１００の動作について図９のフローチャートを参照して説明する。なお、本体側である画像形成装置１００の画像形成動作（複写・印刷動作）については従来と同様であるため説明を省略し、以下では本実施形態の操作表示装置１９における特徴的な動作について説明する。
【００３７】
初期状態において、表示部２７には操作アイコンが表示されており、操作表示用ＣＰＵ２０は、操作アイコンに対応するタッチパネル２４上の感応領域を設定しているものとする。まず、操作表示用ＣＰＵ２０は、座標検出部２５から座標検出信号が入力される（つまりユーザがタッチパネル２４を押下した）ことにより、押下箇所ＰのＸＹ座標を取得する（ステップＳ１）。なお、座標検出部２５は、従来と同様に、押下箇所ＰのＸＹ座標を確定する場合、押下を検知してから所定のサンプリング時間の間に、タッチパネル２４から出力されるＸ座標を示す電位（アナログ電圧信号）及びＹ座標を示す電位（アナログ電圧信号）をそれぞれ複数回（例えば３回）ずつサンプリングし、それらの平均値からＸＹ座標を確定する。
【００３８】
続いて、操作表示用ＣＰＵ２０は、押圧力判定部２８eから押下圧力検出信号が入力されることにより、押下箇所Ｐの押圧力を取得する（ステップＳ２）。そして、操作表示用ＣＰＵ２０は、補正値記憶部２９に記憶されている補正テーブルから、押下箇所Ｐの押圧力に応じたＸ座標及びＹ座標の補正値を取得する（ステップＳ３）。例えば、押下箇所Ｐの押圧力が「５」であった場合は、Ｘ座標及びＹ座標の補正値「＋５」を取得し、押下箇所Ｐの押圧力が「１０」であった場合は、Ｘ座標及びＹ座標の補正値「０」を取得する。
【００３９】
そして、操作表示用ＣＰＵ２０は、座標検出部２５から取得した押下箇所ＰのＸＹ座標に、ステップＳ３で取得した補正値を加算することにより、押下箇所ＰのＸＹ座標の補正を行う（ステップＳ４）。操作表示用ＣＰＵ２０は、ステップＳ４により最終的に得られる押下箇所ＰのＸＹ座標が含まれる感応領域に対応する操作アイコンが押下されたと判定し（ステップＳ５）、当該判定結果を示す操作信号を、本体側（画像形成装置１００）のＣＰＵ１０に出力する（ステップＳ６）。そして、本体側のＣＰＵ１０は、操作表示用ＣＰＵ２０から入力される操作信号を基に、ユーザが押下した操作アイコンに応じた処理を実行する。
【００４０】
以上のように、本実施形態に係る操作表示装置１９を具備する画像形成装置１００によれば、押下箇所Ｐの座標を当該押下箇所Ｐの押圧力に応じて補正するので、タッチパネルへの押圧力に依存して発生する押下箇所Ｐの誤認識を防止することができ、ユーザの意図した通りの処理を実行することが可能である。
【００４１】
なお、上記実施形態では、補正値記憶部２９に記憶されている補正テーブルから、押下箇所Ｐの押圧力に応じたＸ座標及びＹ座標の補正値を取得する構成を採用したが、これに限らず、押圧力とＸＹ座標の補正値との対応関係を示す演算式を用いて押下箇所Ｐの押圧力に応じたＸＹ座標の補正値を算出し、当該算出した補正値によって押下箇所Ｐの座標を補正するような構成を採用しても良い。なお、Ｘ座標とＹ座標との補正値が同一になる場合は演算式は１つ用意すれば良いが、Ｘ座標とＹ座標との補正値が異なる場合は演算式を２つ用意する必要がある。
【００４２】
また、上記実施形態では、押下箇所Ｐの押圧力を検出する方法として超音波表面弾性波を用いた場合を例示して説明したが、圧電センサを用いる等、その他の押圧力検出方法を採用しても良い。また、上記実施形態では、操作表示装置１９に専用のＲＯＭ２１及びＲＡＭ２２を設けた構成を例示したが、これらＲＯＭ２１及びＲＡＭ２２の機能を本体側（画像形成装置１００）のＲＯＭ１１及びＲＡＭ１２に統合して、ＲＯＭ２１及びＲＡＭ２２を削除しても良い。また、操作表示用ＣＰＵ２０の機能を本体側（画像形成装置１００）のＣＰＵ１０に統合しても良い。
【００４３】
また、上記実施形態では、操作表示装置１９を具備する画像形成装置１００として複合機を例示して説明したが、これに限らず、例えばファクシミリ装置やコピー機等の他のＯＡ機器に操作表示装置１９を具備させても良い。さらに、本実施形態に係る操作表示装置１９を画像形成装置だけでなく、その他の機器、例えばＰＤＡ等の携帯端末や銀行のＡＴＭなどに適用しても良い。
【図面の簡単な説明】
【００４４】
【図１】本発明の一実施形態に係る画像形成装置１００の機能ブロック図である。
【図２】本発明の一実施形態に係る操作表示装置１９の機能ブロック図である。
【図３】本発明の一実施形態に係る操作表示装置１９の外観概略図である。
【図４】本発明の一実施形態に係るタッチパネル２４の断面図である。
【図５】本発明の一実施形態に係る押圧力検出部２８の詳細説明図である。
【図６】本発明の一実施形態に係る押圧力検出部２８の押圧力検出原理を示す説明図である。
【図７】本発明の一実施形態に係る補正値記憶部２９に記憶されている補正テーブルの一例である。
【図８】本発明の一実施形態に係る補正テーブルに関する説明図である。
【図９】本発明の一実施形態に係る操作表示装置１９の動作フローチャートである。
【符号の説明】
【００４５】
１００…画像形成装置、１０…ＣＰＵ(Central Processing Unit)、１１、２１…ＲＯＭ(Read Only Memory)、１２、２２…ＲＡＭ(Random Access Memory)、１３…各種センサ群、１４…用紙搬送部、１５…画像読取部、１６…画像データ記憶部、１７…画像形成部、１８…通信Ｉ／Ｆ部、１９…操作表示装置、２０…操作表示用ＣＰＵ、２３…操作キー群、２４…タッチパネル、２５…座標検出部、２６…表示用ドライバ、２７…表示部、２３a…コピースタートキー、２３b…コピーストップキー、２３c…電源キー、２３d…テンキー、２４a…下部ガラス基板、２４b…上部フィルム、２４c…スペーサ、２４d、２４e…透明電極層、２８…押圧力検出部、２８a…発信子、２８b、２８c…反射アレイ、２８d…受信子、２８e…押圧力判定部、２９…補正値記憶部、２００…ＰＣ(Personal Computer)
【図１】
2008276276.tif 000003
【図２】
2008276276.tif 000004
【図３】
2008276276.tif 000005
【図４】
2008276276.tif 000006
【図５】
2008276276.tif 000007
【図６】
2008276276.tif 000008
【図７】
2008276276.tif 000009
【図８】
2008276276.tif 000010
【図９】
2008276276.tif 000011